(57)【要約】【課題】  発光及び発音をするに当たって振動板を省くことができ、しかも、導光板の裏面に直接加振器を固着した場合であっても、前面部から加振器が見えることのない導光板を提供する。【解決手段】  外周端面の一部から光源４による光を入射させ該入射した光を裏面部２２に設けた拡散反射部２４に乱反射させて前面部２１から出射させる導光板２と、導光板２を励振させる加振器３と、を備えた発音機能付き面発光パネル１である。この導光板２裏面における拡散反射部２４が形成されている部位に加振器３を設けた。【選択図】        図１
2010231981.tif 000002
【特許請求の範囲】
【請求項１】
外周端面の一部から光源による光を入射させ該入射した光を裏面部に設けた拡散反射部に乱反射させて前面部から出射させる導光板と、導光板を励振させる加振器と、を備えた発音機能付き面発光パネルであって、前記導光板裏面における拡散反射部が形成されている部位に加振器を設けて成ることを特徴とする発音機能付き面発光パネル。
【請求項２】
前記拡散反射部は、導光板の裏面部に部分的に設けられた導光パターンを複数箇所に設けることで構成して成る請求項１記載の発音機能付き面発光パネル。
【発明の詳細な説明】
【技術分野】
【０００１】
本発明は、導光板に関するものであり、詳しくは、発音機能付き面発光パネルに関するものである。
【背景技術】
【０００２】
従来から、パネル状の導光板２ａのいずれかの端部を光源４からの光を導入するための入射端面部２３ａとした、いわゆるエッジライト方式の導光板２ａを用いたパネル装置１ａが知られている。例えば、図３に示すようなパネル装置１ａは、導光板２ａの入射端面部２３ａにＬＥＤから成る光源４を設けることで構成される。この導光板２ａは、導光板２ａの裏面に複数の導光パターンから成る拡散反射部２４ａを設け、入射端面部２３ａから入射して導光板２ａ内において反射を繰り返して伝播する光をこの拡散反射部２４ａによって導光板２ａの前面部から出射させ、導光板２ａの前面部を面状に発光させるものである。なお、図中６ａは枠部を示している。
【０００３】
ところで、このような面発光を行なうパネル装置と音響装置とを並設して、発光及び発音を同時に行なうようにすることが考えられている。
【０００４】
音響装置は、例えば図４に示すようなもので、振動板８の背面に加振器３ａを固着して構成してあり、この加振器３ａによって振動板８を励振させ、音を発生させるようになっている。なお、図中６ｂは枠部を示している。
【０００５】
このような、パネル装置と音響装置とを並設する場合、発光装置のパネル（導光板）と音響装置のパネル（振動板）とがそれぞれ必要となり、設置場所が多く必要となるばかりか、コスト高となってしまうという問題があった。
【０００６】
そこで、上記パネル装置の導光板を音響装置の振動板として兼用するものが考えられている（例えば特許文献１参照）。この特許文献１に示されるものは、液晶パネルの背面に導光板を配設し、光源となる発光ダイオードと加振器となる圧電素子を、この導光板の一端面から突設された導光板の厚さよりも薄い突出板状部に設けたものである。
【先行技術文献】
【特許文献】
【０００７】
【特許文献１】特開２００７−０７２０１８号公報
【発明の概要】
【発明が解決しようとする課題】
【０００８】
ところで、面発光をさせるパネル装置について、上記構成を採用して導光板と振動板とを兼用するに当たっては、導光板の一端部から導光板よりもさらに薄い突出板状部を新たに設ける必要がある。
【０００９】
一方、この突出板状部を設けずに導光板の裏面に直接加振器を固着することも考えられるが、導光板は透過性を有する部材により形成されているため、裏面に固着した加振器が前面から見えてしまい見栄えが悪くなるという問題があった。
【００１０】
本発明は、上記従来の問題に鑑みてなされたものであり、その目的とするところは、導光板による発光及び発音をするものにおいて導光板と振動板とを兼用でき、しかも、導光板の裏面に直接加振器を固着した場合であっても、見栄えが低下することのない発音機能付き面発光パネルを提供することにある。
【課題を解決するための手段】
【００１１】
上記課題を解決するために本発明は以下の構成を備えている。
【００１２】
すなわち、請求項１に係る発明にあっては、外周端面の一部から光源４による光を入射させ該入射した光を裏面部２２に設けた拡散反射部２４に乱反射させて前面部２１から出射させる導光板２と、導光板２を励振させる加振器３と、を備えた発音機能付き面発光パネル１である。この導光板２裏面における拡散反射部２４が形成されている部位に加振器３を設けた。
【００１３】
このように構成したことにより、この導光板２の外周端面の一部に光源４からの光を入射させると、加振器３が設けられている部位において入射光が乱反射して面状に発光するため、導光板２の裏面に加振器３を設けた場合であっても、加振器３が前面から見えることがなくなり、見栄えを損なうことがない。その上、導光板２を振動板として兼用することができるようになり、コストダウンを図ることができると共に、狭いスペース内に発音と発光とを行なうことができる面発光パネルを設けることができる。
【００１４】
また、請求項２に係る発明にあっては、請求項１に係る発明において、前記拡散反射部２４は、導光板２の裏面部２２において部分的に設けられた導光パターン２４１を複数箇所に設けることで構成してある。
【００１５】
このように構成したことにより、導光板２の前面部２１から出射する光を部分的に変化させるように構成することができ、多様な種類の面状発光を行なうことができる。
【発明の効果】
【００１６】
本発明によれば、導光板を振動板として兼用することができるため、コストダウンを図ることができ、しかも、加振器が導光板の前面部から見えてしまうことがなくなり、見栄えを損なってしまうことを回避できる。その上、導光板の裏面に拡散反射部を介して加振器を固着するだけで良いため、新たに加振器を設けるための部位を設ける必要がなく、構造の簡略化を図ることができると共に製造コストの低減を図ることができる。
【図面の簡単な説明】
【００１７】
【図１】本発明の一実施形態のパネル装置の要部断面の概略図である。
【図２】同上の導光板の背面図であり（ａ）は本実施形態の導光板であり（ｂ）は他例の導光板である。
【図３】従来のパネル装置を説明するための概略図であり（ａ）は正面図であり（ｂ）は要部断面図である。
【図４】従来の音響装置を説明するための概略図であり（ａ）は正面図であり（ｂ）は要部断面図である。
【発明を実施するための形態】
【００１８】
以下、本発明について添付図面に基づいて説明する。
【００１９】
本実施形態の発音機能付き面発光パネル１は、図１に示すように、パネル装置に組み込まれている。このパネル装置は、発音機能付き面発光パネル１と、発音機能付き面発光パネル１のいずれかの端部（外周端面の一部）に設けられた光源４と、光源４や導光板２を固定するベース部５と、導光板２の前面の上下縁部を覆う枠部６とを備えている。
【００２０】
発音機能付き面発光パネル１は、エッジライト方式の導光板２と、導光板２の裏面に設けられ導光板２を励振させる加振器３とを備えている。
【００２１】
この導光板２は、光の出射面となる前面部２１（厚み方向を向く一面）と、裏面部２２（厚み方向を向く他面）と、導光板２のいずれかの端面であり（本実施形態では上端）光源４からの光を導入する入射端面部２３とを備えている。本実施形態の導光板２は、無色透明なアクリル樹脂にて構成されている。裏面部２２には拡散反射部２４が設けられており、入射端面部２３から入射して導光板２内において反射を繰り返して伝播する光の一部を、この拡散反射部２４により拡散乱反射させて、導光板２の前面部２１から出射させることができる。
【００２２】
拡散反射部２４は、導光板２の裏面部２２において部分的に設けられた導光パターン２４１を複数箇所に設けることで構成してある。この導光パターン２４１は、拡散性を有する白色インクなどをドット印刷して形成されている。本実施形態の拡散反射部２４は、図２（ａ）に示すように、入射端面部２３に近い部位の導光パターン２４１は密度が小さくなると共に、入射端面部２３から離れるに従って徐々に密度が大きくなっており、入射端面部２３に近い側で疎、入射端面部２３から離れるに従って疎から密へと次第に変化するように構成されている。これにより、パネル装置の導光板２における面発光が前面部２１において均一なものとなる。
【００２３】
なお、導光パターン２４１として図２（ｂ）に示すように、導光パターン２４１のドットの密度を一定のものにしたまま、入射端面部２３に近い部位の面積を小さくすると共に、入射端面部２３から離れるに従って徐々に面積を大きくするといったような面積比率にして、導光板２の前面部２１から一様な光を出射させるようにしてもよい。また、面積比率や密度を上記のように入射端面部２３からの距離によって変化させず、導光板２上の部分によって光量に変化を与えるように構成してももちろんよい。
【００２４】
なお、図２（ａ）及び図２（ｂ）における実施例では、図中符合Ｋ１及びＫ２で示す部位に加振器３が設けられている。
【００２５】
このような導光板２の裏面における導光パターン２４１が形成された部位には、加振器３が接着層７を介して固着されている。この加振器３は導光板２を振動板として用いることにより、音を発音するようになっている。つまり、加振器３により導光板２を励振させて撓み振動をさせることにより音を発生させることができる。本実施形態の加振器３は導光板２の略中央部に一つだけ設けられている。
【００２６】
このような発音機能付き面発光パネル１は、パネル装置のベース部５に装着されており、ベース部５に固定された光源４が、導光板２の入射端面部２３に臨むようにして設置されている。本実施形態の光源４は、ベース部５に固定された基板ベース４１と、基板ベース４１に設けられた基板４２と、基板４２に設けられたＬＥＤ４３（Light Emitting Diode：発光ダイオード）とを備えており、これら基板ベース４１と基板４２とＬＥＤ４３とでひとつのユニットを構成している。本実施形態における光源４は、正面視において導光板２の上縁部に設けられている。なお特に図示しないが、基板４２に接続されたＯＮ／ＯＦＦスイッチにより基板４２上のＬＥＤ４３の点灯／消灯ができるように構成されている。
【００２７】
さらに、ベース部５に光源４と導光板２を備える発音機能付き面発光パネル１とを装着した上で、導光板２の上下両縁部を覆う枠部６が着脱自在に設置されている。この上下縁部を覆う枠部６内に光源４が収容されており、この枠部６により光源４が保護されるように構成されている。
【００２８】
このようなパネル装置の光源４を点灯させると、光源４からの光が導光板２の入射端面部２３から入射する。そして、この光は導光板２内において反射を繰り返しながら反対側の端部に向けて伝播していくが、反射を繰り返す光の一部が導光板２の裏面部２２に設けられた導光パターン２４１により乱反射されて、導光板２の前面部２１から出射するようになる。この時、加振器３は導光パターン２４１の裏面に設けられているため、導光板２から発せられる光によって前方から加振器３は見えないものとなる。
【００２９】
このような発音機能付き面発光パネル１を用いれば、音響のみのための振動板を新たに設ける必要がなくなり、コンパクト化やコストの削減を図ることができる。しかも、加振器３を導光パターン２４１の裏面に接着層７を介して設けるだけでよいので、構造を簡略なものとしたまま、導光板２に発音機能を付与することができる。
【００３０】
本実施形態では、光の出射面となる導光板２の前面部２１を露出させて構成しているが、この導光板２の前面部２１を、複数の孔部を穿設して音響性能の低下を防いだ透過性を有する化粧パネルで覆うようにすれば、より見栄えが向上すると共に、導光板２の前面部２１を外力から保護することができる。なお、この化粧パネルは、透明板によって構成されてもよいし木目柄などの柄模様を施して構成されていてもよい。
【００３１】
なお、上記実施形態においては、導光板２をアクリル樹脂により形成しているが、例えばガラスなどであってもよく、光透過材料であればよいものである。また、本実施形態において、入射端面部２３は導光板２の上端面に設けられているが、上端面に限らず、いずれかの端面を入射端面部２３としていればよいものである。さらに言えば、上下両端面を入射端面部２３とするようにしてもよい。
【００３２】
さらに、本実施形態では導光パターン２４１を白色インクを塗布することにより形成しているが、例えば、プリズム状凹凸をレーザ加工したり、反射フィルムを貼着したりなどといったような従来周知のいずれの方法によっても形成可能なものである。
【００３３】
また、上記実施形態における加振器３は、導光板２の略中央部に一つだけ設けるように構成されているが、導光板２の裏面部２２に形成された複数の導光パターン２４１に対して、複数の加振器３を設けるように構成しても、複数の加振器３がすべて前面から見えないようにできて見栄えを損なわないようにすることができるのはもちろんである。
【符号の説明】
【００３４】
１      発音機能付き面発光パネル
２      導光板
２１    前面部
２２    裏面部
２３    入射端面部
２４    拡散反射部
２４１  導光パターン
３      加振器
４      光源
４１    基板ベース
４２    基板
４３    ＬＥＤ
５      ベース部
６      枠部
７      接着層
８      振動板
【図１】
2010231981.tif 000003
【図２】
2010231981.tif 000004
【図３】
2010231981.tif 000005
【図４】
2010231981.tif 000006